【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
熱源機内に設けられた給湯熱交換器と、該給湯熱交換器に水を給水する給水通路と、前記給湯熱交換器により加熱形成された湯を一つ以上の給湯先に給湯する給湯通路とを有する給湯回路を備え、浴槽に接続されて浴槽湯水を循環する湯水循環通路を有し、前記熱源機から外部に敷設された給湯通路の給湯側の位置に接続された接続通路の先端側が前記湯水循環通路に切り替え弁を介して接続され、前記熱源機から前記接続通路の前記給湯通路への接続部に至る給湯通路内に滞留する給湯の設定温度よりも予め定められた許容範囲を超えて低い温度の捨て水が前記給湯先から出ることを防ぐための捨て水出防止指令を受けたときに、前記捨て水を前記給湯通路から前記接続通路と前記切り替え弁を介して前記湯水循環通路に導出し、前記捨て水の前記湯水循環通路への導出停止指令を受けたときには前記給湯通路から前記湯水循環通路への水の導出を停止する捨て水導出制御手段が設けられていることを特徴とする熱源システム。
【請求項２】
接続通路を介して湯水循環通路に導出される水の温度を検出する導出水温検出手段を有し、該導出水温検出手段により検出される検出温度が給湯の設定温度または該設定温度よりも許容範囲内の予め定められた設定温度差だけ低い温度に達したときに捨て水の前記湯水循環通路への導出停止指令を発信する捨て水導出停止指令発信手段が設けられていることを特徴とする請求項１記載の熱源システム。
【請求項３】
熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする請求項２記載の熱源システム。
【請求項４】
接続通路を介して湯水循環通路に導出される水の温度を検出する導出水温検出手段を有し、捨て水出防止出湯指令を受けてから前記導出水温検出手段により検出される検出温度が給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する捨て水導出停止指令発信手段が設けられていることを特徴とする請求項１記載の熱源システム。
【請求項５】
熱源機から給湯通路と前記接続通路とを通って湯水循環通路側に導出される捨て水の流量を検出する流量検出手段と、前記接続通路を介して前記湯水循環通路に導出される水の温度を検出する導出水温検出手段とを有し、捨て水出防止出湯指令を受けてから前記導出水温検出手段により検出される検出温度が給湯の設定温度に達するまでに要する所要時間を求めて、該所要時間と前記流量検出手段による検出流量とに基づき捨て水出防止出湯指令を受けてから前記導出水温検出手段により検出される検出温度が給湯の設定温度に達するまでに前記給湯通路と前記接続通路とを通過する水の通過水量を予め求めておき、該通過水量に基づいて予め定められる算出方法により求められる前記通過水量未満の算出水量の水が前記給湯通路と前記接続通路とを通過したことを前記流量検出手段の検出流量に基づいて判断されたときに捨て水の前記湯水循環通路への導出停止指令を発信する捨て水導出停止指令発信手段が設けられていることを特徴とする請求項１記載の熱源システム。
【請求項６】
熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする請求項４または請求項５記載の熱源システム。
【請求項７】
切り替え弁と、導出水温検出手段と、捨て水導出停止指令発信手段と、捨て水導出制御手段とを有して、捨て水が給湯先から出ることを防ぐ捨て水導出防止ユニットが形成されていることを特徴とする請求項２乃至請求項６のいずれか一つに記載の熱源システム。
【請求項８】
給湯通路と接続通路との接続部にはヘッダが設けられて、該ヘッダには該ヘッダから温水を給湯先に導く１つ以上の給湯先端側通路と前記接続通路とが接続されていることを特徴とする請求項１乃至請求項７のいずれか一つに記載の熱源システム。
【請求項９】
捨て水出防止指令を受けたときに前回の給湯終了からの経過時間を検出し該検出時間が予め定められたキャンセル基準時間以内の時には捨て水導出制御手段による捨て水の湯水循環通路への導出動作をキャンセルする捨て水導出動作キャンセル手段が設けられていることを特徴とする請求項１乃至請求項８のいずれか一つに記載の熱源システム。
【手続補正２】
【補正対象書類名】明細書
【補正対象項目名】０００２
【補正方法】変更
【補正の内容】
【０００２】
図４には、熱源機（熱源装置）２を備えた熱源システムの構成例が模式的に示されている。同図において、器具ケース６０内には燃焼室６１が設けられ、燃焼室６１内には給湯側のバーナ１（１ａ，１ｂ，１ｃ）と、浴槽１４内の湯水の追い焚き側のバーナ７が配置されている。これらのバーナ１，７には、それぞれのバーナ１，７に燃料を供給するガス管５５が接続されており、このガス管５５にはバーナ１，７への燃料供給・停止を制御するための開閉弁５１，５２，５３と、バーナ１への供給燃料量を弁開度でもって制御することができる比例弁５４とが介設されている。
【手続補正３】
【補正対象書類名】明細書
【補正対象項目名】００２１
【補正方法】変更
【補正の内容】
【００２１】
本発明は上記目的を達成するために、次の構成をもって課題を解決する手段としている。すなわち、第１の発明は、熱源機内に設けられた給湯熱交換器と、該給湯熱交換器に水を給水する給水通路と、前記給湯熱交換器により加熱形成された湯を一つ以上の給湯先に給湯する給湯通路とを有する給湯回路を備え、浴槽に接続されて浴槽湯水を循環する湯水循環通路を有し、前記熱源機から外部に敷設された給湯通路の給湯側の位置に接続された接続通路の先端側が前記湯水循環通路に切り替え弁を介して接続され、前記熱源機から前記接続通路の前記給湯通路への接続部に至る給湯通路内に滞留する給湯の設定温度よりも予め定められた許容範囲を超えて低い温度の捨て水が前記給湯先から出ることを防ぐための捨て水出防止指令を受けたときに、前記捨て水を前記給湯通路から前記接続通路と前記切り替え弁を介して前記湯水循環通路に導出し、前記捨て水の前記湯水循環通路への導出停止指令を受けたときには前記給湯通路から前記湯水循環通路への水の導出を停止する捨て水導出制御手段が設けられている構成をもって課題を解決する手段としている。
【手続補正４】
【補正対象書類名】明細書
【補正対象項目名】００２２
【補正方法】変更
【補正の内容】
【００２２】
また、第２の発明は、前記第１の発明の構成に加え、前記接続通路を介して湯水循環通路に導出される水の温度を検出する導出水温検出手段を有し、該導出水温検出手段により検出される検出温度が給湯の設定温度または該設定温度よりも許容範囲内の予め定められた設定温度差だけ低い温度に達したときに捨て水の前記湯水循環通路への導出停止指令を発信する捨て水導出停止指令発信手段が設けられている構成をもって課題を解決する手段としている。
【手続補正５】
【補正対象書類名】明細書
【補正対象項目名】００２３
【補正方法】変更
【補正の内容】
【００２３】
さらに、第３の発明は、前記第２の発明の構成に加え、前記熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする。
【手続補正６】
【補正対象書類名】明細書
【補正対象項目名】００２４
【補正方法】変更
【補正の内容】
【００２４】
さらに、第４の発明は、前記第１の発明の構成に加え、前記接続通路を介して湯水循環通路に導出される水の温度を検出する導出水温検出手段を有し、捨て水出防止出湯指令を受けてから前記導出水温検出手段により検出される検出温度が給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する捨て水導出停止指令発信手段が設けられていることを特徴とする。
【手続補正７】
【補正対象書類名】明細書
【補正対象項目名】００２５
【補正方法】変更
【補正の内容】
【００２５】
さらに、第５の発明は、前記第１の発明の構成に加え、前記熱源機から給湯通路と前記接続通路とを通って湯水循環通路側に導出される捨て水の流量を検出する流量検出手段と、前記接続通路を介して前記湯水循環通路に導出される水の温度を検出する導出水温検出手段とを有し、捨て水出防止出湯指令を受けてから前記導出水温検出手段により検出される検出温度が給湯の設定温度に達するまでに要する所要時間を求めて、該所要時間と前記流量検出手段による検出流量とに基づき捨て水出防止出湯指令を受けてから前記導出水温検出手段により検出される検出温度が給湯の設定温度に達するまでに前記給湯通路と前記接続通路とを通過する水の通過水量を予め求めておき、該通過水量に基づいて予め定められる算出方法により求められる前記通過水量未満の算出水量の水が前記給湯通路と前記接続通路とを通過したことを前記流量検出手段の検出流量に基づいて判断されたときに捨て水の前記湯水循環通路への導出停止指令を発信する捨て水導出停止指令発信手段が設けられていることを特徴とすることを特徴とする。
【手続補正８】
【補正対象書類名】明細書
【補正対象項目名】００２６
【補正方法】変更
【補正の内容】
【００２６】
さらに、第６の発明は、前記第４、第５の発明の構成に加え、前記熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする。
【手続補正９】
【補正対象書類名】明細書
【補正対象項目名】００２９
【補正方法】変更
【補正の内容】
【００２９】
さらに、第９の発明は、前記第１乃至第８の発明の構成に加え、前記捨て水出防止指令を受けたときに前回の給湯終了からの経過時間を検出し該検出時間が予め定められたキャンセル基準時間以内の時には捨て水導出制御手段による捨て水の湯水循環通路への導出動作をキャンセルする捨て水導出動作キャンセル手段が設けられていることを特徴とする。
【手続補正１０】
【補正対象書類名】明細書
【補正対象項目名】００３０
【補正方法】変更
【補正の内容】
【００３０】
本発明によれば、加熱形成された湯を一つ以上の給湯先に給湯する給湯通路を有する給湯回路には、熱源機から外部に敷設された給湯通路の給湯側の位置に接続通路が接続されて、その先端側は、浴槽に接続された湯水循環通路に切り替え弁を介して接続され、前記熱源機から前記接続通路の前記給湯通路への接続部に至る通路内に滞留する給湯の設定温度よりも予め定められた許容範囲を超えて低い温度の捨て水が前記給湯先から出ることを防ぐための捨て水出防止指令を捨て水導出制御手段が受けたときに、前記捨て水を前記給湯通路から前記接続通路と前記切り替え弁を介して前記湯水循環通路に導出するので、温度が低い捨て水が給湯通路から給湯先に給湯されることを防ぐことができる。
【手続補正１１】
【補正対象書類名】明細書
【補正対象項目名】００３１
【補正方法】変更
【補正の内容】
【００３１】
また、捨て水は湯水循環通路に導出されるので、例えば湯水循環通路から浴槽に導出し、浴槽の栓を閉じておくことにより、捨て水を浴槽に溜めることができ、その水を例えば災害用の貯留水として用いることができるし、追い焚きをすることにより入浴にも利用できる。そして、捨て水導出制御手段は、捨て水の前記湯水循環通路への導出停止指令を受けたときに、給湯通路から前記湯水循環通路への水の導出を停止することにより、適宜のタイミングで捨て水の給湯通路から前記湯水循環通路への導出を停止し、その後、給湯先に設定温度またはその近傍の湯を給湯するようにできる。
【手続補正１２】
【補正対象書類名】明細書
【補正対象項目名】００３２
【補正方法】変更
【補正の内容】
【００３２】
また、接続通路を介して湯水循環通路に導出される水の温度を検出する導出水温検出手段を設けて、該導出水温検出手段により検出される検出温度が給湯の設定温度または該設定温度よりも許容範囲内の予め定められた設定温度差だけ低い温度に達したときに捨て水の前記湯水循環通路への導出停止指令を発信する捨て水導出停止指令発信手段を設けることにより、熱源機から前記接続通路の前記給湯通路への接続部に至る通路内に滞留する水が湯水循環通路側に完全に導出されて、熱源機により加熱された設定温度または設定温度近傍の湯に入れ替わり、導出水温検出手段の配設位置に達してから捨て水の前記湯水循環通路への導出停止指令を発信することができる。そのため、このタイミングで捨て水の前記湯水循環通路への導出を停止することにより、給湯先からは、確実に、設定温度またはその近傍の湯を出湯することができる。
【手続補正１３】
【補正対象書類名】明細書
【補正対象項目名】００３３
【補正方法】変更
【補正の内容】
【００３３】
さらに、給湯先に配設されているリモコン装置を熱源機に信号接続し、リモコン装置に、捨て水出防止指令を出力するための捨て水出防止指令出力操作部を設けることにより、この捨て水出防止指令出力操作部の操作によって、容易に、かつ、利用者が給湯を開始しようとする適切なタイミングで、捨て水出防止指令を出力して、捨て水を湯水循環通路に導出することができる。
【手続補正１４】
【補正対象書類名】明細書
【補正対象項目名】００３４
【補正方法】変更
【補正の内容】
【００３４】
また、捨て水の湯水循環通路への導出動作が停止されたときに、給湯先から設定温度の湯または該設定温度の近傍温度の湯が出湯可能となったことを報知する報知手段をリモコン装置に設けて報知することによって、捨て水の湯水循環通路への導出後に、利用者が給湯先に設けられている操作レバーの操作や操作つまみの回転等によって、給湯栓を開く動作を行うことにより、設定温度またはその近傍の湯が直ぐに出湯される。そのため、熱源機の使い勝手をより一層良好にできる。
【手続補正１５】
【補正対象書類名】明細書
【補正対象項目名】００３５
【補正方法】変更
【補正の内容】
【００３５】
さらに、接続通路を介して湯水循環通路に導出される水の温度を検出する導出水温検出手段を設けて、該導出水温検出手段により検出される検出温度が、捨て水出防止出湯指令を受けてから給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する捨て水導出停止指令発信手段を設けることにより、以下の効果を奏することができる。
【手続補正１６】
【補正対象書類名】明細書
【補正対象項目名】００３６
【補正方法】変更
【補正の内容】
【００３６】
つまり、熱源機から前記接続通路の前記給湯通路への接続部に至る通路内に滞留する水が湯水循環通路側に導出されて、熱源機により加熱された設定温度または設定温度近傍の湯に入れ替わり、導出水温検出手段の配設位置に達してから捨て水の前記湯水循環通路への導出停止指令を発信すると、給湯通路の接続通路との接続部までに至る通路を通る水と接続通路を通る水とが設定温度またはその近傍温度になってから、捨て水の前記湯水循環通路への導出停止指令を発信することになるため、熱源機から給湯通路への接続通路の接続部までの間に滞留する捨て水が前記湯水循環通路に導出された後も、水の湯水循環通路への導出が行われることになり、その分だけ水が余計に前記湯水循環通路に導出されることになる。それに対し、導出水温検出手段により検出される検出温度が、捨て水出防止出湯指令を受けてから給湯の設定温度に達するまでに要する所要時間未満の、予め定められる算出方法により算出した算出時間が経過したときに捨て水の前記湯水循環通路への導出停止指令を発信することにより、前記のように水が余計に前記湯水循環通路に導出されないようにすることができるし、捨て水を前記湯水循環通路に導出した後に給湯先から出湯開始するまでの時間を短くすることもできる。
【手続補正１７】
【補正対象書類名】明細書
【補正対象項目名】００３８
【補正方法】変更
【補正の内容】
【００３８】
ただし、給湯通路において、接続通路が接続されている接続部と熱源機との間の長さや接続通路の長さは、熱源機の敷設毎に異なるものであるので、予め定められる算出方法によって算出した算出時間が経過したときに、捨て水の湯水循環通路への導出停止指令を発信した場合に、算出時間が短すぎて、熱源機から接続通路の給湯通路への接続部に至る給湯通路内に滞留する水が、熱源機により加熱された設定温度または設定温度近傍の湯に完全には入れ替わらずに、その状態で、給湯栓を開いた場合に、給湯先から設定温度よりもかなり低い温度の水が出る可能性がある。
【手続補正１８】
【補正対象書類名】明細書
【補正対象項目名】００３９
【補正方法】変更
【補正の内容】
【００３９】
そこで、例えば熱源機の試運転時に、所要時間−Ａ秒の計算により求めた時間経過直後に捨て水の湯水循環通路への導出停止指令を発信して給湯栓を開いた場合に、給湯先から設定温度よりもかなり低い温度の水が出るかどうかを確認し、設定温度よりもかなり低い温度の水が出てしまうようであれば、Ａの値を小さくするように操作する操作部を設けて、この操作部によりＡの値を変更できるようにしたり、Ａの値を小さくするように熱源システム側に指令を与える指令発信操作部を設けて、この指令発信操作部の操作が行われたときには熱源システム側が、予め定められた条件（例えば指令発信操作部の操作が行われる毎にＡの値を５［秒］小さくするといったような条件）に基づいて、Ａの値を自動的に変更するようにしてもよい。また、季節に応じて（入水温度に応じ）Ａの値を変えてもよい。
【手続補正１９】
【補正対象書類名】明細書
【補正対象項目名】００４０
【補正方法】変更
【補正の内容】
【００４０】
さらに、熱源機から給湯通路と前記接続通路とを通って湯水循環通路側に導出される捨て水の流量を検出する流量検出手段と、接続通路を介して湯水循環通路に導出される水の温度を検出する導出水温検出手段を設けて、該導出水温検出手段により検出される検出温度が捨て水出防止出湯指令を受けてから給湯の設定温度に達するまでに、給湯通路と接続通路とを通過する水の通過水量を予め求めておき、該通過水量に基づいて予め定められる算出方法により求められる前記通過水量未満の算出水量の水が前記給湯通路と前記接続通路とを通過したことを前記流量検出手段の検出流量に基づいて判断されたときに捨て水の前記湯水循環通路への導出停止指令を発信する捨て水導出停止指令発信手段を設けることにより、以下の効果を奏することができる。
【手続補正２０】
【補正対象書類名】明細書
【補正対象項目名】００４１
【補正方法】変更
【補正の内容】
【００４１】
つまり、この場合も、捨て水出防止出湯指令を受けてから、給湯通路の接続通路との接続部までに至る通路を通る水と接続通路を通る水とが設定温度またはその近傍温度になるまでに給湯通路と接続通路とを通過する水の通過水量未満の、予め定められる算出方法により算出した算出流量の水が、給湯通路と接続通路とを通過したと判断されたときに捨て水の湯水循環通路への導出停止指令を発信することにより、前記と同様に、水が余計に湯水循環通路に導出されることを防ぐことができるし、捨て水を湯水循環通路に導出した後に給湯先から出湯開始するまでの時間を短くすることもできる。
【手続補正２１】
【補正対象書類名】明細書
【補正対象項目名】００４４
【補正方法】変更
【補正の内容】
【００４４】
例えば、熱源機の試運転時に、水の通過水量−Ｂリットルの計算により求めた水量が通過したと判断された直後に、捨て水の湯水循環通路への導出停止指令を発信して給湯栓を開いた場合に給湯先から設定温度よりもかなり低い温度の水が出るかどうかを確認し、設定温度よりもかなり低い温度の水が出てしまうようであれば、Ｂの値を小さくするように操作する操作部を設けて、この操作部によりＢの値を変更できるようにしたり、Ｂの値を小さくするように熱源システム側に指令を与える指令発信操作部を設けて、この指令発信操作部の操作が行われたときには熱源システム側が、予め定められた条件（例えば指令発信操作部の操作が行われる毎にＢの値を０．５リットル少なくするといったような条件）に基づいて、Ｂの値を自動的に変更するようにしたりしてもよい。また、季節や入水温度に応じてＢの値を変えてもよい。
【手続補正２２】
【補正対象書類名】明細書
【補正対象項目名】００４７
【補正方法】変更
【補正の内容】
【００４７】
さらに、前回の給湯終了からの経過時間が短いときには、給湯通路内の湯水の温度が大きくは低下せず、給湯の設定温度またはその近傍の温度の場合もあるので、前回の給湯終了からの経過時間が、給湯先から給湯の設定温度またはその近傍の温度の湯が出湯されるような時間をキャンセル基準時間として予め定め、捨て水出防止指令を受けたときに前回の給湯終了からの経過時間を検出し該検出時間が前記キャンセル基準時間以内の時には捨て水導出制御手段による捨て水の湯水循環通路への導出動作をキャンセルする捨て水導出動作キャンセル手段を設けることにより、設定温度またはその近傍の温度の水を前記湯水循環通路側に導出せずにすむ。そのため、前回の給湯終了からの経過時間が前記キャンセル基準時間以内の時には、水の前記湯水循環通路側への導出動作を省くことができ、かつ、給湯先からは直ぐに設定温度またはその近傍の温度の湯を出湯することができる。
【手続補正２３】
【補正対象書類名】明細書
【補正対象項目名】００５１
【補正方法】変更
【補正の内容】
【００５１】
そして、本実施例は、この構成によって、必要に応じて給湯通路９を通る水を追い焚き循環通路１５側に導出して浴槽１４側に導出できるようにしており、それにより、従来は捨ててしまっていた水を捨てないようにして水の無駄を省き、かつ、その水を災害時や入浴等に利用できるようにしている。
【手続補正２４】
【補正対象書類名】明細書
【補正対象項目名】００５３
【補正方法】変更
【補正の内容】
【００５３】
捨て水導出制御手段４４は、熱源機２から接続通路３６の給湯通路９への接続部（ここでは、ヘッダ２４）に至る給湯通路９内に滞留する、給湯の設定温度よりも予め定められた許容範囲（例えば２℃）を超えて低い温度の捨て水が給湯先から出ることを防ぐための捨て水出防止指令を受けたときに、切り替え弁６２，６３を切り替え、前記捨て水を給湯通路９から接続通路３６と切り替え弁６２，６３を介して追い焚き循環通路１５に導出し（例えば往管１６ａと戻り管１７ａを通し）浴槽１４に導出する（なお、通常は、接続通路３６と追い焚き循環通路１５とが非接続状態となるような態様と成している）。
【手続補正２５】
【補正対象書類名】明細書
【補正対象項目名】００５７
【補正方法】変更
【補正の内容】
【００５７】
捨て水導出停止指令発信手段４５は、例えば以下に述べるタイミングで捨て水の湯水循環通路（追い焚き循環通路１５）への導出停止指令を発信する。つまり、捨て水導出停止指令発信手段４５は、例えば熱源機２の施工者の試運転時の操作に応じて、捨て水出防止出湯指令を受けてから導出水温検出手段４７により検出される検出温度が給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する。前記算出方法は、例えば前記所要時間のＮ分の１（Ｎは正の整数であり、通常は２）とする計算とすることができる。つまり、本実施例では、接続通路３６の先端部を熱源機２の近傍位置において追い焚き循環通路１５に接続しているので、給湯通路９の熱源機２からヘッダ２４までの配管距離と、ヘッダ２４から追い焚き循環通路１５までの接続通路３６の配管距離はほぼ等しくなるので、Ｎは２となる。
【手続補正２６】
【補正対象書類名】明細書
【補正対象項目名】００５８
【補正方法】変更
【補正の内容】
【００５８】
なお、捨て水導出停止指令発信手段４５は、前記算出方法を、前記所要時間−Ａ秒（Ａは正の実数であり、例えば２０）の計算）とすることもできる。また、捨て水導出停止指令発信手段４５は、以下のようにして、捨て水の前記湯水循環通路への導出停止指令を発信することもできる。
【手続補正２７】
【補正対象書類名】明細書
【補正対象項目名】００６０
【補正方法】変更
【補正の内容】
【００６０】
そして、求めた通過水量に基づいて、捨て水導出停止指令発信手段４５は、予め定められる算出方法（例えば、求めた水の通過水量のＮ分の１（Ｎは正の整数であり、接続通路３６の先端部を熱源機２の近傍において追い焚き循環通路１５に接続していることによる前記と同様の理由により、通常は２）とする計算により求める方法や、水の通過水量−Ｂリットル（Ｂは正の実数であり、例えば１）といった計算）により求められる前記通過水量未満の算出水量の水が前記給湯通路と前記接続通路とを通過したことを、流量センサ１０の検出流量に基づいて判断されたときに、捨て水の前記湯水循環通路（追い焚き循環通路１５）への導出停止指令を発信するようにしてもよい。
【手続補正２８】
【補正対象書類名】明細書
【補正対象項目名】００６１
【補正方法】変更
【補正の内容】
【００６１】
また、図２の破線に示すように、前記流量検出手段として、捨て水導出ユニット３４に流量センサ１０ａを設け、捨て水導出停止指令発信手段４５は、流量センサ１０の検出値の代わりに流量センサ１０ａの検出値に基づき、水出防止出湯指令を受けてから導出水温検出手段４７により検出される検出温度が給湯の設定温度に達するまでに給湯通路９と接続通路３６とを通過する水の通過水量の検出、算出水量の算出、捨て水の湯水循環通路（追い焚き循環通路１５）への導出停止指令発信の制御を行うようにしてもよい。
【手続補正２９】
【補正対象書類名】明細書
【補正対象項目名】００６２
【補正方法】変更
【補正の内容】
【００６２】
さらに、捨て水導出停止指令発信手段４５は、導出水温検出手段４７により検出される検出温度が給湯の設定温度または該設定温度よりも許容範囲内の予め定められた設定温度差（例えば２℃）だけ低い温度に達したときに捨て水の湯水循環通路への導出停止指令を発信し、捨て水導出制御手段４４に加えるようにしてもよい。
【手続補正３０】
【補正対象書類名】明細書
【補正対象項目名】００６３
【補正方法】変更
【補正の内容】
【００６３】
なお、いずれのタイミングで捨て水の湯水循環通路（追い焚き循環通路１５）への導出停止指令を発信するかを熱源機２によって予め設定しておいてもよいし、停止指令発信タイミングの選択手段を設けて、利用者等が選択できるようにしてもよい。いずれの場合も、捨て水導出停止指令発信手段４５は、前記のようなタイミングで発信する捨て水の湯水循環通路への導出停止指令を、捨て水導出制御手段４４に加える。
【手続補正３１】
【補正対象書類名】明細書
【補正対象項目名】００６４
【補正方法】変更
【補正の内容】
【００６４】
捨て水導出制御手段４４は、捨て水導出停止指令発信手段４５から前記捨て水の前記湯水循環通路（追い焚き循環通路１５）への導出停止指令を受けたときには、切り替え弁６２，６３を切り替えて接続通路３６と追い焚き循環通路１５とを非接続状態とし、給湯通路９から追い焚き循環通路１５への水の導出を停止する。また、捨て水導出制御手段４４は、給湯通路９から追い焚き循環通路１５への水の導出を停止したときには、この水の導出停止済み信号を熱源機２の信号中継手段４１を介してリモコン装置５０の報知手段４８に加える。
【手続補正３２】
【補正対象書類名】明細書
【補正対象項目名】００６６
【補正方法】変更
【補正の内容】
【００６６】
捨て水導出動作キャンセル手段４６は、捨て水導出制御手段４４が捨て水出防止指令を受けたときに、前回の給湯終了からの経過時間を検出し、該検出時間が予め定められたキャンセル基準時間（例えば５分）以内の時には、捨て水導出制御手段４４による捨て水の湯水循環通路（追い焚き循環通路１５）への導出動作をキャンセルする手段である。
【手続補正３３】
【補正対象書類名】明細書
【補正対象項目名】００７８
【補正方法】変更
【補正の内容】
【００７８】
このとき、縁切り室７６内に満たされていた水は弁孔１０１から排水室７７側に入り込むが、このとき、フロート１１８が浮力を受けて設定位置まで上昇すると、リードスイッチからオン信号が出力されて電磁弁１２３が開けられ、電動二方弁１２４が閉められて循環ポンプ２３の起動が行われ、排水室７７内に溜まった水は排水管１２１を通った後、循環ポンプ２３により強制的に追い焚き循環通路１５の往管１６側から浴槽１４内に排水される。
【手続補正３４】
【補正対象書類名】明細書
【補正対象項目名】００７９
【補正方法】変更
【補正の内容】
【００７９】
また、パイロット電磁弁２５の閉動作と同時に負圧閉止弁１１１はスプリング１１３の付勢力によって弁孔１１０の入口側を閉止し、排水室７７側の空気が縁切り室７６を通って弁孔１１０に入り込むのを防止する。また、第２の逆止弁１１４もパイロット電磁弁８５の閉動作と同時にスプリング１１５の付勢力によって弁孔１１０の出口側を閉じ、追い焚き循環管路３側から汚水が弁孔１１０を経て縁切り室７６側に入り込むのを防止する。
【手続補正３５】
【補正対象書類名】明細書
【補正対象項目名】００８１
【補正方法】変更
【補正の内容】
【００８１】
本実施例は以上のように構成されており、利用者が給湯開始時にリモコン装置５０の捨て水出防止指令出力操作部４９を操作すると、捨て水出防止指令が出力されて、熱源機２の信号中継手段４１を介して捨て水導出ユニット３４の捨て水導出制御手段４４に加えられ、捨て水が給湯通路９から接続通路３６を通り、接続通路３６に介設された縁切り手段１３０を介し、さらに、切り替え弁６２，６３を介して追い焚き循環通路１５に導出され、浴槽１４に導出される。なお、この水は、浴槽１４の栓を閉じておくことにより浴槽１４に溜めることができる。
【手続補正３６】
【補正対象書類名】明細書
【補正対象項目名】００８２
【補正方法】変更
【補正の内容】
【００８２】
また、捨て水出防止指令出力操作部４９の操作時には、捨て水出防止指令が燃焼制御手段４２にも加えられ、燃焼制御手段４２による給湯運転動作に関わる湯の形成動作が行われ、前記のような捨て水の追い焚き循環通路１５への導出および、それによる浴槽１４への導出が行われながら、湯の形成が行われて給湯通路９を通る水の温度が設定温度近傍の温度に高められていく。
【手続補正３７】
【補正対象書類名】明細書
【補正対象項目名】００８３
【補正方法】変更
【補正の内容】
【００８３】
その後、前記のような適宜のタイミングで、捨て水導出停止指令発信手段４５から捨て水の湯水循環通路（追い焚き循環通路１５）への導出停止指令が出力され、捨て水導出制御手段４４によって、給湯通路９から追い焚き循環通路１５への水の導出が停止される。そして、このとき、リモコン装置５０の報知手段４８から給湯先から設定温度の湯または該設定温度の近傍温度の湯が出湯可能となったことが報知されるので、この報知に基づいて利用者が給湯栓１８を開くことにより、給湯先に設定温度またはその近傍の湯を給湯するようにできる。
【手続補正３８】
【補正対象書類名】明細書
【補正対象項目名】００８４
【補正方法】変更
【補正の内容】
【００８４】
なお、利用者が給湯開始時にリモコン装置５０の捨て水出防止指令出力操作部４９を操作したときに、前回の給湯終了からの経過時間が前記キャンセル基準時間以内の時には、前記のような、捨て水導出制御手段４４による捨て水の追い焚き循環通路１５への導出動作は捨て水導出動作キャンセル手段４６によってキャンセルされる。
【手続補正３９】
【補正対象書類名】明細書
【補正対象項目名】００８５
【補正方法】変更
【補正の内容】
【００８５】
なお、本発明は、前記実施例に限定されるものでなく、適宜設定されるものである。例えば、図２の破線に示したように、捨て水導出防止ユニット３４に流量センサ１０ａを設ける構成において、流量センサ１０ａの検出水量に基づき、例えば１日当たり、１週間当たり、１ヶ月当たりといったような単位期間内に、湯水循環通路（追い焚き循環通路１５）に導出される捨て水の水量を合計したり、流量センサ１０ａを設けずに、熱源機２の流量センサ１０の検出水量と、捨て水の追い焚き循環通路１５への導出時間（捨て水出防止指令の発信から導出停止指令の発信までの時間）とに基づいて、前記のような単位期間内に、追い焚き循環通路１５に導出される捨て水の水量を合計したりして、捨て水を捨てずに追い焚き循環通路１５に導出し浴槽１４に導出して溜めることによりどれだけの節約ができたかを求め、その結果を報知してもよい。
【手続補正４０】
【補正対象書類名】明細書
【補正対象項目名】００９１
【補正方法】変更
【補正の内容】
【００９１】
さらに、前記実施例では、熱源機２に信号接続されたリモコン装置５０に報知手段４８を設けたが、報知手段４８は省略することもできる。この場合でも、利用者が捨て水の湯水循環通路（追い焚き循環通路１５）への導出終了までのおおよその時間を予め把握しておいて、その時間が経過した後に給湯栓１８を開くようにすれば、捨て水の追い焚き循環通路１５への導出を行い、かつ、給湯栓１８を開いたときに設定温度またはその近傍の湯が出湯されるようにすることができる。なお、仮に、捨て水の追い焚き循環通路１５への導出が終了していない状態で給湯栓１８が開かれたときには、給水通路８に給水される水量のうち、その多くは（例えば８０％程度）接続通路３６を通って追い焚き循環通路１５に導出され、残りの水量の水が給湯先に供給されることになり、捨て水の追い焚き循環通路１５への導出終了後に、給湯栓１８の開度に応じた水量の湯が給湯先から出湯されることになるため、捨て水の追い焚き循環通路１５への導出機能を設けていない従来例に比べると水の無駄を格段に省くことができるし、使い勝手も良好にできる。